(57)【要約】  【課題】安価な構成のベルト押さえ部材を用いつつ装置の小型化を維持することができ、さらに掻き取ったトナーによって用紙端部にスジ状トナーが転写されることを防止することが可能な画像形成装置を提供する。  【解決手段】像担持体２と、露光手段７０と、現像手段３と、現像手段３により可視像化されたトナー像が１次転写される中間転写ベルト１６と、中間転写ベルト１６上のトナー像をシート部材Ｐに２次転写させる２次転写部材２０Ａと、ベルトクリーニング手段２１と、中間転写ベルト１６の片寄りを防止すべく、像担持体２の軸方向における中間転写ベルト１６の両端部のうちの少なくとも一端部近傍に配設され、その内側端部が、ベルトクリーニング手段２１よりも軸方向内側に位置しかつ２次転写部材２０Ａの端部よりも所定の隙間をおいて軸方向外側に位置するベルト押さえ部材６０とを有する画像形成装置１００。【選択図】図７
2017049406.tif 000002
【特許請求の範囲】
【請求項１】
像担持体と、
露光領域において前記像担持体に静電潜像を形成する露光手段と、
有効画像領域において前記静電潜像に現像剤を付与して可視像化させる現像手段と、
前記現像手段により可視像化されたトナー像が１次転写される中間転写ベルトと、
前記中間転写ベルト上の前記トナー像をシート部材に２次転写させる２次転写部材と、
前記中間転写ベルト上に残存した残留トナーを清掃するベルトクリーニング手段と、
前記中間転写ベルトの片寄りを防止すべく、前記像担持体の軸方向における前記中間転写ベルトの両端部のうちの少なくとも一端部近傍に配設され、その内側端部が、前記ベルトクリーニング手段よりも前記軸方向の内側に位置しかつ前記２次転写部材の端部よりも所定の隙間をおいて前記軸方向の外側に位置するベルト押さえ部材とを有する画像形成装置。
【請求項２】
請求項１記載の画像形成装置において、
前記ベルト押さえ部材は、使用可能な最大幅の前記シート部材の外側端部よりも内側に前記内側端部が位置することを特徴とする画像形成装置。
【請求項３】
請求項１または２記載の画像形成装置において、
前記２次転写部材は、前記ベルト押さえ部材と対応する側の外側端部が、前記露光領域の内側かつ前記有効画像領域の外側に位置することを特徴とする画像形成装置。
【発明の詳細な説明】
【技術分野】
【０００１】
本発明は、画像形成装置に関する。
【背景技術】
【０００２】
複写機や印刷機、ファクシミリ、プロッタ等の画像形成装置において、用紙搬送ベルトや中間転写ベルト、さらには感光体ベルトのようにベルト部材を用いる構成が知られている。このようなベルト部材を用いた構成では、ベルト部材が一方向に寄らないように補正するための寄り止め機構や寄り止め方法が各種提案されている。
【０００３】
しかし、今までの寄り止め機構は部品点数が多く装置の複雑化及び高コスト化を生じさせるという問題点があった。そこで、寄り止めを行うためベルト端部をフェルト部材等からなるベルト押さえ部材で押さえるという安価な構成が提案されている。この構成では、ベルト部材上の地汚れトナーをベルト押さえ部材で掻き取ることとなるが、ベルト押さえ部材上流側に掻き取られたトナーが堆積する。そして、そのうちの一定量のトナーが装置の振動によりベルト部材上にこぼれ落ちてしまい、用紙端部にスジ状トナーとして転写されてしまうという問題点がある。そこで、用紙端部へのスジ状トナーの転写を防止すべくベルト押さえ部材の汚れ防止を目的として、転写クリーニング部材よりも外側にベルト押さえ部材を配置する構成が知られている（例えば「特許文献１」参照）。
【発明の概要】
【発明が解決しようとする課題】
【０００４】
しかし上述の技術では、ベルト押さえ部材を小型化したにもかかわらず、ベルト押さえ部材をベルトクリーニング部材及び感光体クリーニング部材よりも外側に配置するため、転写ユニット及び装置全体の幅方向における大きさが大型化してしまうという問題点がある。  
本発明は、上述した問題点を解決し、安価な構成のベルト押さえ部材を用いつつ装置の小型化を維持することができ、さらに掻き取ったトナーによって用紙端部にスジ状トナーが転写されることを防止することが可能な画像形成装置の提供を目的とする。
【課題を解決するための手段】
【０００５】
本発明は、像担持体と、露光領域において前記像担持体に静電潜像を形成する露光手段と、有効画像領域において前記静電潜像に現像剤を付与して可視像化させる現像手段と、前記現像手段により可視像化されたトナー像が１次転写される中間転写ベルトと、前記中間転写ベルト上の前記トナー像をシート部材に２次転写させる２次転写部材と、前記中間転写ベルト上に残存した残留トナーを清掃するベルトクリーニング手段と、前記中間転写ベルトの片寄りを防止すべく、前記像担持体の軸方向における前記中間転写ベルトの両端部のうちの少なくとも一端部近傍に配設され、その内側端部が、前記ベルトクリーニング手段よりも前記軸方向の内側に位置しかつ前記２次転写部材の端部よりも所定の隙間をおいて前記軸方向の外側に位置するベルト押さえ部材とを有することを特徴とする。
【発明の効果】
【０００６】
本発明によれば、ベルト押さえ部材によって掻き取られて蓄えられた地汚れトナーは、装置の振動等によって露光領域側である軸方向内側にこぼれ落ちてしまい、中間転写ベルトによって下流へと搬送される。しかし、２次転写部材の外側端部がベルト押さえ部材の内側端部よりも所定の隙間をおいて軸方向内側に位置する関係であるため、端部スジ状トナーに対して２次転写部材から転写電界は付与されない。このため記録紙の端部には端部スジ状トナーが転写されることはなく、中間転写ベルト上に付着した端部スジ状トナーは全てベルトクリーニング手段によって除去され、次の画像形成に備えられる。これにより記録紙の端部に端部スジ状トナーが転写されることが完全に防止され、装置の小型化を図りつつ良好な画像形成動作を継続して行うことができる。
【図面の簡単な説明】
【０００７】
【図１】本発明の一実施形態を適用可能な画像形成装置の概略構成図である。
【図２】本発明の一実施形態を適用可能な転写ユニットの概略斜視図である。
【図３】本発明の一実施形態を適用可能なベルト押さえ部材を説明する概略図である。
【図４】従来のベルト押さえ部材と現像領域、感光体クリーニング領域、ベルトクリーニング領域との位置関係を説明する概略図である。
【図５】本発明のベルト押さえ部材と現像領域、感光体クリーニング領域、ベルトクリーニング領域との位置関係を説明する概略図である。
【図６】従来の端部筋状トナーによる問題点を説明する概略図である。
【図７】本発明の第１の実施形態を説明する概略図である。
【図８】本発明の第１の実施形態を説明する概略図である。
【図９】本発明の第２の実施形態を説明する概略図である。
【図１０】本発明の第２の実施形態を説明する概略図である。
【図１１】本発明の一実施形態を適用可能な他の画像形成装置の概略構成図である。
【発明を実施するための形態】
【０００８】
図１は、本発明の一実施形態を適用可能な画像形成装置としてのプリンタ１００を示している。プリンタ１００は、イエロ（Ｙ）、マゼンタ（Ｍ）、シアン（Ｃ）、ブラック（Ｋ）の各色トナー像を形成するための、４個のプロセスユニット１Ｙ，１Ｍ，１Ｃ，１Ｋを有している。各プロセスユニット１は、互いに異なる色のトナーを用いること以外は同様に構成されており、寿命到達時に交換される。
【０００９】
ここで、代表してプロセスユニット１Ｙについて説明するが、他のプロセスユニット１Ｍ，１Ｃ，１Ｋもトナーの色以外は同様の構成であるので個々の説明は省略する。プロセスユニット１Ｙは、像担持体である感光体２Ｙ、現像手段である現像装置３Ｙ、感光体クリーニング装置４Ｙ、共に図示しない帯電手段及び除電手段等を有している。ドラム状の感光体２Ｙは、図示しない駆動手段によって図１において時計回り方向に回転駆動される。現像装置３Ｙは、現像ローラを介してトナーカートリッジ１３Ｙに収容されたイエロトナーを感光体２Ｙに供給し、感光体２Ｙの表面に形成された静電潜像をトナー像へと顕像化させる。感光体クリーニング装置４Ｙは、１次転写後において感光体２Ｙの表面に残存した転写残トナーをクリーニングする。
【００１０】
各プロセスユニット１の上方には、主走査方向に発光素子が配列された露光手段としての光書き込みヘッド７０がそれぞれ配設されている。光書き込みヘッド７０から照射される光によって各感光体２の表面に静電潜像が形成される。
【００１１】
各プロセスユニット１の下方には、無端ベルト状の中間転写ベルト１６を張架しつつ図１において反時計回り方向に走行移動させる転写ユニット１５が配設されている。転写ユニット１５は、中間転写ベルト１６、駆動ローラ１７、従動ローラ１８、各プロセスユニット１にそれぞれ対応して設けられた４個の１次転写ローラ１９Ｙ，１９Ｍ，１９Ｃ，１９Ｋ、ベルトクリーニング装置２１等を備えている。中間転写ベルト１６は、その内側に配設された駆動ローラ１７、従動ローラ１８、各１次転写ローラ１９によって張架されており、図示しない駆動手段により図１において反時計回り方向に回転駆動される駆動ローラ１７の駆動力によって同方向に走行駆動される。
【００１２】
プロセスユニット１Ｙが有する感光体２Ｙ表面に形成されたイエロトナー像は、感光体２Ｙの回転に伴いイエロ用の１次転写ニップに進入すると、転写電界やニップ圧の作用により感光体２Ｙ上から中間転写ベルト１６上に１次転写される。このようにイエロトナー像が１次転写された中間転写ベルト１６は、その移動に伴いマゼンタ、シアン、ブラック用の１次転写ニップを通過する際に、感光体２Ｍ，２Ｃ，２Ｋ上の各トナー像がイエロトナー像上に順次重ね合わせてそれぞれ１次転写される。これにより、中間転写ベルト１６上には４色のカラートナー像が形成される。
【００１３】
中間転写ベルト１６を介して駆動ローラ１７と対向する位置には、転写ユニット１５に含まれる２次転写ローラ２０が配設されている。２次転写ローラ２０は駆動ローラ１７と共に中間転写ベルト１６を挟み込んでおり、この挟み込みによって中間転写ベルト１６のオモテ面と２次転写ローラ２０とが接触する２次転写ニップが形成されている。
【００１４】
転写ユニット１５の下方には、シート部材である記録紙Ｐを複数枚重ねた紙束の状態で収容する給紙カセット３０が配設されている。給紙カセット３０は、プリンタ１００の装置本体９９に対して図中右方へとスライド着脱可能に構成されている。給紙カセット３０に収容された記録紙Ｐはその最上位の１枚を給紙ローラ３０ａに当接されており、給紙ローラ３０ａが所定のタイミングで図１において反時計回り方向に回転することにより給紙搬送路３１へと給送される。
【００１５】
給紙搬送路３１の端部近傍にはレジストローラ対３２が配設されている。レジストローラ対３２は、給送された記録紙Ｐをローラ間に挟持すると各ローラの回転を停止させる。そして、上述した２次転写ニップ内で中間転写ベルト１６上のカラートナー像に同期させるタイミングで回転を再開し、挟持した記録紙Ｐを２次転写ニップに向けて給送する。
【００１６】
２次転写ニップで記録紙Ｐに密着された中間転写ベルト１６上のカラートナー像は、２次転写電界及びニップ圧の影響により記録紙Ｐ上に一括して２次転写され、記録紙Ｐの白色と相俟ってフルカラートナー像となる。フルカラートナー像が形成された記録紙Ｐは、２次転写ニップを通過すると２次転写ローラ２０及び中間転写ベルト１６から曲率分離され、転写後搬送路３３を経由して定着装置３４に送り込まれる。
【００１７】
定着装置３４は、図示しないハロゲンランプ等の熱源を内包する定着ローラ３４ａと、これに所定の圧力で圧接しつつ回転する加圧ローラ３４ｂとによって定着ニップを形成している。定着装置３４内に送り込まれた記録紙Ｐは、その未定着トナー像担持面を定着ローラ３４ａに接触させる態様で定着ニップに挟持される。そして、加熱及び加圧によりトナーを軟化させ、フルカラートナー像を記録紙Ｐに定着させる。定着装置３４から排出された記録紙Ｐは、定着後搬送路３５を経由して排紙ローラ対３６により機外へと排出され、装置本体９９の上カバー５０の上面に設けられたスタック部にスタックされる。一方、２次転写ニップ通過後の中間転写ベルト１６には、記録紙Ｐに転写されなかった転写残トナーが付着している。この転写残トナーは、中間転写ベルト１６のオモテ面に接触しているベルトクリーニング装置２１によってベルト表面から除去される。
【００１８】
図２は、２次転写ローラ２０及びベルトクリーニング装置２１を除いた転写ユニット１５の概略図を示している。同図において、駆動ローラ１７と対向する側の中間転写ベルト１６の端部、すなわち図２には図示されない従動ローラ１８側の端部近傍には、ベルト押さえ部材６０が配設されている。ベルト押さえ部材６０は、中間転写ベルト６０の用紙幅方向の両端部、すなわち感光体２の軸方向における中間転写ベルト１６の両端部であって、中間転写ベルト１６の画像形成面であるオモテ面と対向する位置に配設されている。
【００１９】
ベルト押さえ部材６０は、図３（ａ）に示すように、中間転写ベルト１６と接触するフェルト部６１、フェルト部６１を弾性的に支持するスポンジ部６２、スポンジ部６２を支持して転写ユニット１５のユニット本体１４に固定される樹脂部６３から構成されている。フェルト部６１とスポンジ部６２及びスポンジ部６２と樹脂部６３とは、それぞれ両面テープ６４によって固定されている。またフェルト部６１は、中間転写ベルト１６の走行方向上流側端部が同下流側端部に比して上方に位置するように配設されている。これによりベルト押さえ部材６０は、図３（ｂ）に示すように、樹脂部６３がユニット本体１４に固定された際に、中間転写ベルト１６がほぼ水平状態で押圧されるべくスポンジ部６２が変形するように構成されている。
【００２０】
このように、中間転写ベルト６０の用紙幅方向の両端部において中間転写ベルト１６のオモテ面に接触する一対のベルト押さえ部材６０を設けることにより、走行移動中の中間転写ベルト１６のオモテ面がベルト押さえ部材６０に接触することとなる。このベルト押さえ部材６０の働きにより、走行中の中間転写ベルト１６が用紙幅方向の何れか一方にずれることを確実に防止することができ、良好な画像形成動作を行うことができる。なお、本形態では中間転写ベルト６０の用紙幅方向の両端部にベルト押さえ部材６０を配設する構成としたが、中間転写ベルト１６のずれ方向が一方向のみである場合には、ずれる方向の端部１箇所にのみベルト押さえ部材６０を配置すればよい。
【００２１】
図４は、上述した「特許文献１」に記載された従来のベルト押さえ部材６０の配置状態を示している。図４は中間転写ベルト１６の画像転写面であるオモテ面を上方から見た部分平面図であり、オモテ面上に感光体２の現像可能な領域である現像領域２ａ、感光体クリーニング装置４が有する感光体クリーナのクリーニング領域４ａを示している。また図４には、ベルトクリーニング装置２１が有するベルトクリーナのクリーニング領域２１ａも示されている。この構成では、ベルト押さえ部材６０の端部からのトナー漏れを避けるため、現像領域２ａ、各クリーニング領域４ａ，２１ａよりも外側にその内側端部が位置するようにベルト押さえ部材６０を配置している。このため、中間転写ベルト１６の幅が広くなってしまい、転写ユニット１５及び画像形成装置全体の記録紙幅方向における大きさが大きくなってしまうという問題点があった。
【００２２】
上述した問題点を解消すべく、ベルト押さえ部材６０を従来よりも内側に配置した状態を図５に示す。この状態であれば、その外側端部がクリーニング領域２１ａよりも内側に位置するようにベルト押さえ部材６０を配置しているので、図５に二点鎖線で示した従来の状態よりも長さＬ分だけ転写ユニット１５及び画像形成装置を小型化することが可能となる。
【００２３】
しかし、図５に示したようにベルト押さえ部材６０を従来よりも内側に配置すると、以下の要因から最大サイズの記録紙Ｐの端部にスジ状トナーが転写されてしまうという問題点がある。  
先ず、光書き込みヘッド７０を露光手段として使用する画像形成装置では、図６に示すように、現像領域２ａの全体を光書き込みヘッド７０による露光領域７０ａがカバーしていない。このため、露光領域７０ａ外の現像領域２ａでは感光体２表面の除電を行うことができず、地汚れトナーが多く存在することとなる。この感光体２上の地汚れトナーは、１次転写ローラ１９によって中間転写ベルト１６上に１次転写される。
【００２４】
現像領域２ａ中におけるベルト押さえ部材６０が配設されている位置では、ベルト押さえ部材６０が地汚れトナーを掻き取ってベルト走行方向上流側に蓄えてしまう。ベルト押さえ部材６０によって掻き取られて蓄えられた地汚れトナーは、装置の振動等によって露光領域７０ａ側である軸方向内側にこぼれ落ちてしまい、中間転写ベルト１６によって下流へと搬送される。このこぼれ落ちたトナーを、以下は端部スジ状トナーという。そして、寸法のバラツキや部品の公差を含めた場合においても２次転写ローラ２０の外側端部がベルト押さえ部材６０の内側端部よりも軸方向外側に位置する関係であるため、端部スジ状トナーに対して２次転写ローラ２０から転写電界が付与される。これにより、記録紙Ｐの端部に端部スジ状トナーが転写されてしまうのである。
【００２５】
そこで、上述した問題点を解消する本発明の一実施形態を、図７を用いて説明する。本実施形態では、２次転写ローラ２０に代えて、２次転写ローラ２０よりも感光体２の軸方向である幅方向長さが短い２次転写部材である２次転写ローラ２０Ａを用いている。２次転写ローラ２０Ａは、その端部がベルト押さえ部材６０の内側端部よりも内側に位置するように構成されている。すなわちベルト押さえ部材６０は、その内側端部が２次転写ローラ２０Ａの端部よりも感光体２の軸方向外側に位置するように配置されている。詳細には、ベルト押さえ部材６０は図８に示すように、２次転写ローラ２０Ａの端部における位置のバラツキＡ１（１．８ｍｍ）を含めてもＡ２（０．３ｍｍ）の隙間が生じるように配置される。なお、ベルト押さえ部材６０の幅方向長さは５〜１０ｍｍ（本形態では１０ｍｍ）である。
【００２６】
上述の構成により、ベルト押さえ部材６０によって掻き取られて蓄えられた地汚れトナーは、装置の振動等によって露光領域７０ａ側である軸方向内側にこぼれ落ちてしまい、中間転写ベルト１６によって下流へと搬送される。しかし、２次転写ローラ２０Ａの端部がベルト押さえ部材６０の内側端部よりも所定の隙間をおいて軸方向内側に位置する関係であるため、端部スジ状トナーに対して２次転写ローラ２０Ａから転写電界は付与されない。このため記録紙Ｐの端部には端部スジ状トナーが転写されることはなく、中間転写ベルト１６上に付着した端部スジ状トナーは全てベルトクリーニング装置２１によって除去され、次の画像形成に備えられる。これにより記録紙Ｐの端部に端部スジ状トナーが転写されることが完全に防止され、装置の小型化を図りつつ良好な画像形成動作を継続して行うことができる。
【００２７】
図９は、本発明の第２の実施形態を示している。図６及び図７で説明した端部スジ状トナーは図９に示すように太いスジとなって発生する場合があるため、２次転写ローラの端部とベルト押さえ部材６０の内側端部との隙間が大きい方が記録紙Ｐ端部への端部スジ状トナーの転写防止には効果が高い。このため第２の実施形態では、２次転写ローラ２０Ａに代えて２次転写ローラ２０Ｂを用いている。この２次転写ローラ２０Ｂは、その端部が露光領域７０ａの内側に位置するように配置されている。詳細には、ベルト押さえ部材６０は図１０に示すように、２次転写ローラ２０Ｂの端部における位置のバラツキＢ１（３．７ｍｍ）を含めてもＢ２（２．２ｍｍ）の隙間が生じるように配置される。
【００２８】
上述の構成により、ベルト押さえ部材６０によって掻き取られて蓄えられた地汚れトナーは、装置の振動等によって露光領域７０ａ側である軸方向内側にこぼれ落ちてしまい、中間転写ベルト１６によって下流へと搬送される。しかし、２次転写ローラ２０Ｂの端部がベルト押さえ部材６０の内側端部よりも所定の隙間をおいて軸方向内側に位置する関係であるため、端部スジ状トナーに対して２次転写ローラ２０Ａから転写電界は付与されない。さらに、２次転写ローラ２０Ｂの端部が露光領域７０ａの内側に位置するように配置されているので、２次転写ローラ２０Ｂの端部とベルト押さえ部材６０の内側端部との間隔を第１の実施形態よりも大きく取ることができる。このため、第１の実施形態よりも太い端部スジ状トナーが形成されても記録紙Ｐの端部には端部スジ状トナーが転写されることはない。そして、中間転写ベルト１６上に付着した太い端部スジ状トナーは全てベルトクリーニング装置２１によって除去され、次の画像形成に備えられる。これにより記録紙Ｐの端部に端部スジ状トナーが転写されることが完全に防止され、装置の小型化を図りつつ良好な画像形成動作を継続して行うことができる。
【００２９】
この第２の実施形態では、２次転写ローラ２０Ｂの端部は現像装置３により感光体２に現像剤が転写される現像領域２ａのうち余白等を除いた有効画像領域３ａよりも幅広くなるように形成されている。このため、２次転写ローラ２０Ｂの端部が露光領域７０ａ内に位置していても画像欠損等の画像不良の発生が防止されている。
【００３０】
図１１は、上記各実施形態を適用可能な他の画像形成装置を示している。画像形成装置であるプリンタ９８は、その装置本体９７の中央に中間転写ベルト８を有する転写ユニット８１が配設されている。転写ユニット８１には、上述と同様のベルトさえ部材６０が設けられている。転写ユニット８１の上方には、中間転写ベルト８と対向するように黒色（ブラック）トナーを収容したプロセスカートリッジ６が着脱可能に配設されており、その上方には露光手段であり光書込装置７が配設されている。
【００３１】
プロセスカートリッジ６は、像担持体である感光体８２、帯電装置８３、クリーニング装置８４、図示しない除電装置、現像手段である現像装置８５等を有している。中間転写ベルト８を介して感光体８２と対向する位置には、感光体８２上に形成されたトナー像を中間転写ベルト８に１次転写させる１次転写ローラ８６が配設されている。また、転写ユニット８１の下方には、ベルトクリーニング手段としてのベルトクリーニング装置８７が配設されている。
【００３２】
装置本体９７の下方には、シート部材である記録紙Ｐを複数枚重ねた紙束の状態で収容する給紙カセット２６が配設されている。給紙カセット２６は、装置本体９７に対して図中手前へとスライド着脱可能に構成されている。給紙カセット２６に収容された記録紙Ｐはその最上位の１枚を給紙ローラ２７に当接されており、給紙ローラ２７が所定のタイミングで図１１において反時計回り方向に回転することにより給紙搬送路２９へと給送される。
【００３３】
給紙搬送路２９の端部近傍にはレジストローラ対２８が配設されている。レジストローラ対２８は、給送された記録紙Ｐをローラ間に挟持すると各ローラの回転を停止させ、上述したレジストローラ対３２と同じタイミングで回転を再開し、挟持した記録紙Ｐを後述する２次転写ニップに向けて給送する。
【００３４】
２次転写ニップは、上述した２次転写ローラ２０Ａとこれに接触した中間転写ベルト８とによって形成される。２次転写ニップで記録紙Ｐに密着された中間転写ベルト８上のカラートナー像は、２次転写電界及びニップ圧の影響により記録紙Ｐ上に一括して２次転写され、記録紙Ｐの白色と相俟ってフルカラートナー像となる。フルカラートナー像が形成された記録紙Ｐは、２次転写ニップを通過すると２次転写ローラ２０Ａ及び中間転写ベルト８から曲率分離され、定着装置３４と同様の定着装置２５に送り込まれる。
【００３５】
定着装置２５内に送り込まれた記録紙Ｐは、その未定着トナー像担持面を定着ニップに挟持される。そして、加熱及び加圧によりトナーを軟化させ、フルカラートナー像が記録紙Ｐに定着される。定着装置３４から排出された記録紙Ｐは、排紙ローラ対２４により機外へと排出され、排紙トレイ２３にスタックされる。一方、２次転写ニップ通過後の中間転写ベルト１６には、記録紙Ｐに転写されなかった転写残トナーが付着している。この転写残トナーは、中間転写ベルト１６のオモテ面に接触しているベルトクリーニング装置８７によってベルト表面から除去される。
【００３６】
上述した感光体８２を一つしか持たないプリンタ９８においても、２次転写部材として２次転写ローラ２０Ａ，２０Ｂを用い、これをベルト押さえ部材６０に対して上述と同様に配置することにより、第１及び第２の実施形態と同様の作用効果を得ることができる。
【００３７】
上述した各実施形態では、画像形成装置により画像が形成されるシート部材として記録紙Ｐを示した。しかし、画像形成装置に使用可能なシート部材は記録紙には限定されず、他の用紙、ＯＨＰシート、樹脂フィルム等、シート状を呈し画像形成可能な物質であればどのようなものを用いてもよい。
【００３８】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。本発明の実施の形態に記載された効果は、本発明から生じる最も好適な効果を例示したに過ぎず、本発明による効果は、本発明の実施の形態に記載されたものに限定されるものではない。
【符号の説明】
【００３９】
２．８２  像担持体（感光体）
３，８５  現像手段（現像装置）
３ａ  有効画像領域
７  露光手段（光書込装置）
８，１６  中間転写ベルト
２０Ａ，２０Ｂ  ２次転写部材（２次転写ローラ）
２１，８７  ベルトクリーニング手段（ベルトクリーニング装置）
６０  ベルト押さえ部材
７０  露光手段（光書き込みヘッド）
７０ａ  露光領域
９８，１００  画像形成装置（プリンタ）
Ｐ  シート部材（記録紙）
【先行技術文献】
【特許文献】
【００４０】
【特許文献１】特開２００９−１３４２２６号公報
【図１】
2017049406.tif 000003
【図２】
2017049406.tif 000004
【図３】
2017049406.tif 000005
【図４】
2017049406.tif 000006
【図５】
2017049406.tif 000007
【図６】
2017049406.tif 000008
【図７】
2017049406.tif 000009
【図８】
2017049406.tif 000010
【図９】
2017049406.tif 000011
【図１０】
2017049406.tif 000012
【図１１】
2017049406.tif 000013